(57)【要約】【課題】マルチチャンネル再生装置が再生したオーディオ信号をマルチチャンネル再生用スピーカ装置に簡易且つ正確に伝送することができるマルチチャンネル再生装置及びマルチチャンネル再生用スピーカ装置を提供する。【解決手段】オーディオ信号を入力し、入力したオーディオ信号を信号処理手段により処理し、処理した信号を複数のスピーカ装置２００に供給して出力するマルチチャンネル再生装置１００において、前記信号処理手段は、入力したオーディオ信号をマルチチャンネルのオーディオ信号に変換する信号処理回路７と変換されたマルチチャンネルのオーディオ信号を各チャンネル毎に圧縮する圧縮回路８と、圧縮した各チャンネル毎のオーディオ信号にチャンネル識別子を付加するチャンネル識別子付加回路９と、チャンネル識別子を付加したマルチチャンネルのオーディオ信号を送信する送信手段１５を備えた。【選択図】　　　　図１
2004120407.tif 000002
【特許請求の範囲】
【請求項１】
オーディオ信号を入力し、入力したオーディオ信号を信号処理手段により処理し、処理した信号を複数のスピーカ装置に供給して出力するマルチチャンネル再生装置であって、
前記信号処理手段は、入力したオーディオ信号をマルチチャンネルのオーディオ信号に変換する信号処理回路と
変換されたマルチチャンネルのオーディオ信号を各チャンネル毎に圧縮する圧縮回路と、
圧縮した各チャンネル毎のオーディオ信号にチャンネル識別子を付加するチャンネル識別子付加回路と、
チャンネル識別子を付加したマルチチャンネルのオーディオ信号を送信する送信手段とを備えたことを特徴とするマルチチャンネル再生装置。
【請求項２】
チャンネル識別子を付加したマルチチャンネルのオーディオ信号を受信してオーディオ出力するマルチチャンネル再生用スピーカ装置であって、
該スピーカ装置は、再生するチャンネルに対応するチャンネル識別子を設定する識別子設定手段と、
受信したマルチチャンネルのオーディオ信号から、前記識別子設定手段で設定したチャンネルのオーディオ信号を抽出して再生出力するスピーカ駆動手段と、受信したマルチチャンネルのオーディオ信号を再送信する送信手段とを備えたことを特徴とするマルチチャンネル再生用スピーカ装置。
【発明の詳細な説明】
【０００１】
【発明の属する技術分野】
本発明はマルチチャンネル再生装置及びマルチチャンネル再生用スピーカ装置に係り、特に再生信号を無線手段を介して伝送するマルチチャンネル再生装置及びマルチチャンネル再生用スピーカ装置に関する。
【０００２】
【従来の技術】
図５は、従来のマルチチャンネル再生装置及びスピーカ装置からなるマルチチャンネル再生システムを説明する図である。図において、３０はＬＤプレーヤ、ＤＶＤプレーヤ等のマルチチャンネル再生装置である。マルチチャンネル再生装置３０の出力端子には各チャンネル毎のスピーカ装置を接続する。例えば、５チャンネルのオーディオ信号を出力する場合には５つのスピーカ装置３１ａないし３１ｅを接続し、各スピーカ装置はそれぞれ聴取者５０の周囲に配置する。５つのスピーカ装置は、例えば、前方中央用（Ｃｃｈ）スピーカ装置３１ａ、前方左用（Ｌｃｈ）スピーカ装置３１ｂ、前方右用（Ｒｃｈ）スピーカ装置３１ｃ、後方左用サラウンド（ＳＬｃｈ）スピーカ装置３１ｄ、後方右用サラウンド（ＳＲｃｈ）スピーカ装置３１ｅである。また、５．１チャンネルのオーディオ信号を再生する場合は、前記５つのスピーカ装置の外に０．１チャンネル分のオーディオ信号に相当する低音専用（ＳＷｃｈ）スピーカ装置３１ｆを追加し、各スピーカ装置にそれぞれのチャンネルのオーディオ信号を同時に出力させる。これにより、聴取者は、臨場感のあるサラウンドオーディオ信号を聴取することができる。しかしながら、この装置は、オーディオ信号をそれぞれのスピーカ装置に出力させるために、マルチチャンネル再生装置３０と６のスピーカ装置とをそれぞれ接続ケーブルによって接続する必要がある。このため前記接続ケーブルの接続が煩雑なものとなる（例えば、特許文献１、２参照）。
【０００３】
図６は、オーディオ信号の伝送手段として赤外線を用いた従来のマルチチャンネル再生システムを説明する図である。これにより、接続ケーブル接続の煩わしさを解消することができる。
【０００４】
マルチチャンネル再生装置３０には、赤外線を用いてオーディオ信号をそれぞれのスピーカ装置ヘ出力するための赤外線発光部４０を備え、各スピーカ装置は、前記赤外線発光部４０発光される赤外線を受光する図示しない受光部をそれぞれ備える。これにより、マルチチャンネル再生装置３０とそれぞれのスピーカ装置との間を接続ケーブルで接続せずとも、マルチチャンネル再生装置３０により再生した各チャンネルのオーディオ信号をそれぞれのスピーカ装置から出力することができる。なお、マルチチャンネル再生装置３０の発光部４０はそれそれのスピーカ装置にそれぞれ異なるオーディオ信号を出力する必要がある。このため、ＦＭ変調回路によってそれそれのチャンネル毎に異なる変調キャリア周波数で赤外線を出力することが必要となる（例えば特許文献３参照）
【０００５】
【特許文献１】
特開平１０−２４３４９９号公報
【０００６】
【特許文献２】
特開２０００−１５９００号公報
【０００７】
【特許文献３】
特開平６−１２０９０３号公報
【０００８】
【発明が解決しようとする課題】
しかしながら、前記従来のシステムでは、スピーカ装置の数に応じた数の赤外線発光部をマルチチャンネル再生装置に備える必要があるため、マルチチャンネル再生装置のコストが高価なものとなる。
【０００９】
また、それぞれのスピーカ装置から出力されるオーディオ信号を同時に聴取するため、聴取者は、図６（ａ）あるいは図６（ｂ）に示すように各スピーカ装置の略中央の位置で聴取することが望ましい。この場合、図に示すように、各スピーカ装置の略中央の位置にいる聴取者の１人または複数が、オーディオ信号を送信する赤外線を遮断してしまい、スピーカ装置から出力されるべきオーディオ信号が途絶えてしまうことがある。
【００１０】
本発明は、これらの問題点に鑑みてなされたもので、マルチチャンネル再生装置が再生したオーディオ信号をマルチチャンネル再生用スピーカ装置に簡易且つ正確に伝送することができるマルチチャンネル再生装置及びマルチチャンネル再生用スピーカ装置を提供する
【００１１】
【課題を解決するための手段】
本発明は、上記の課題を解決するために次のような手段を採用した。
【００１２】
オーディオ信号を入力し、入力したオーディオ信号を信号処理手段により処理し、処理した信号を複数のスピーカ装置に供給して出力するマルチチャンネル再生装置において、前記信号処理手段は、入力したオーディオ信号をマルチチャンネルのオーディオ信号に変換する信号処理回路と、変換されたマルチチャンネルのオーディオ信号を各チャンネル毎に圧縮する圧縮回路と、圧縮した各チャンネル毎のオーディオ信号にチャンネル識別子を付加するチャンネル識別子付加回路と、チャンネル識別子を付加したマルチチャンネルのオーディオ信号を送信する送信手段を備えた。
【００１３】
【発明の実施の形態】
以下、本発明の実施形態を添付図面を参照しながら説明する。
【００１４】
図１は、マルチチャンネル再生装置１００及びマルチチャンネル再生用スピーカ装置２００の詳細を説明する図である。図において、１は光ディスク、２は光ディスク１の駆動装置、３は光ピックアップ、４は光ピックアップ３の駆動装置、５は信号処理マトリクスアンプ、６は駆動装置２，４駆動用のアンプ、７はマルチチャンネルのオーディオ信号をデコードすると共に駆動装置２，４を駆動するための駆動信号を生成する信号処理部、８はオーディオ信号を例えばＭＰＥＧ方式で圧縮するオーディオ信号圧縮回路、９はチャンネル識別子付与回路であり、マルチチャンネルのオーディオ信号の各チャンネルデータ毎にチャンネル識別番号を付与する。１０はチャンネル識別番号を付与したマルチチャンネルオーディオ信号を赤外線に変換する発光回路、１５は発光回路１０により駆動する赤外線発光部である。１１は各部を制御するマイコン、１２は表示部、１３はリモコン子機からの操作指示を受信する操作パネルリモコン回路である。
【００１５】
２６は前記赤外線発光部１５、あるいは他のマルチチャンネル再生用スピーカ装置２００が発光した赤外線を受光する赤外線受光部、１６は受光した赤外線をマルチチャンネルのオーディオ信号に変換する赤外線受光回路、１７はチャンネル識別子検出回路であり、前記マルチチャンネルのオーディオ信号のうちから、指定されたチャンネルのオーディオ信号のみを後述するチャンネル識別子設定手段２５が指定した識別子に基づき抽出する。１８は前記抽出したオーディオ信号を伸張するデータ伸張回路、１９はオーディオ信号処理回路、２０はＤ／Ａ（Ｄｉｇｉｔａｌ／Ａｎａｌｏｇ）変換回路、２１はアンプ、２２はスピーカである。２３は各部を制御するマイコン、２４は前記識別子等を表示する表示部、２５は識別子設定手段である。識別子設定手段２５は、例えばリモコン子機からの操作指示に基づき再生すべきチャンネルを指定するチャンネル識別子を設定する。２７は赤外線発光部であり、前記受光回路１６で受光したオーディオ信号を再度赤外線に変換して発光する。
【００１６】
図２は、マルチチャンネルオーディオ信号の構成を説明する図である。図において、ｃｈ１、ｃｈ２・・・ｃｈｎは各チャンネル毎に付与したチャンネル識別子、ｃｈ１ＤＡＴＡ、ｃｈ２ＤＡＴＡ、・・・ｃｈ２ＤＡＴＡは各チャンネル識別子ｃｈ１、ｃｈ２・・・ｃｈｎが付された各チャンネル毎のオーディオ信号である。また、Ｔｉｍｅ　ＤＡＴＡは、ｃｈ１ＤＡＴＡ、・・・ｃｈｎＤＡＴＡのオーディオ信号を同期させて出力するための同期信号、Ｔはデータの転送周期である。
【００１７】
このように、マルチチャンネル再生装置１００から、チャンネル識別子ｃｈ１、ｃｈ２・・・ｃｈｎが付された各チャンネル毎のオーディオ信号及び同期信号を含むマルチチャンネルオーディオ信号を赤外線に変換して、複数のマルチチャンネル再生用スピーカ装置２００に例えばチェーン状あるいは放射状に出力する。
【００１８】
一方、それぞれのマルチチャンネル再生用スピーカ装置２００は、前記マルチチャンネルオーディオ信号を変換した赤外線を受信し、前記出力信号のうちの指定されたチャンネルのオーディオ信号のみを前記チャンネル識別子設定手段２５により指定した情報に基づき抽出し、抽出したオーディオ信号を前記同期信号に同期して再生する。これにより、各マルチチャンネル再生用スピーカ装置による赤外線の受光及び発光順序にとらわれない自由な赤外線の送受信配置が可能となる。
【００１９】
図３は、本発明の実施形態にかかるマルチチャンネル再生装置及びマルチチャンネル再生用スピーカ装置を説明する図であり、図３（ａ）はマルチチャンネル再生装置１００を示す図、図３（ｂ）はマルチチャンネル再生用スピーカ装置２００を示す図である。
【００２０】
図３（ａ）において、１００はマルチチャンネル再生装置である。１５は赤外線発光部であり、再生装置１００の筐体表面に回動自在に装着してある。
【００２１】
図３（ｂ）において、２００はマルチチャンネル再生用スピーカ装置である。２６は赤外線受光部であり、スピーカ装置２００の筐体表面に回動自在に装着してある。赤外線受光部２６は、前記赤外線発光部１５が発光した赤外線あるいは他のスピーカ装置２００の赤外線発光部２７が発光した赤外線を受光する。２７は赤外線発光部であり、スピーカ装置の筐体に回動自在に装着してある。
【００２２】
なお、これらの図において図１に示される部分と同一部分については同一符号を付してその説明を省略した。
【００２３】
図４は、マルチチャンネル再生装置とマルチチャンネル再生用スピーカ装置間の信号伝達例を説明する図である。
【００２４】
例えば、図４に示ように、各マルチチャンネル再生用スピーカ装置２００ａないし２００ｆ及びマルチチャンネル再生装置１００を配置する。すなわち、マルチチャンネル再生装置１００は再生したマルチチャンネル再生信号を赤外線に変換して赤外線発光部１５から発光する。赤外線発光部１５が発光した赤外線はＣｃｈ用のマルチチャンネル再生用スピーカ装置２００ａの赤外線受光部２６が受光する。マルチチャンネル再生用スピーカ装置２００ａは受光した赤外線を電気信号に変換して指定されたチャンネルの再生信号をスピーカから再生する。このとき再生用スピーカ装置２００ａは前記電気信号を再度赤外線に変換して赤外線発光部２７から発光する。
【００２５】
また、前記Ｃｃｈ用のマルチチャンネル再生用スピーカ装置２００ａの赤外線発光部２７が発光した赤外線は、Ｌｃｈ用のマルチチャンネル再生用スピーカ装置２００ｂの赤外線受光部２６が受光する。マルチチャンネル再生用スピーカ装置２００ｂは受光した赤外線を電気信号に変換して指定されたチャンネルの再生信号をスピーカから再生する。このとき再生用スピーカ装置２００ｂは前記電気信号を再度赤外線に変換して赤外線発光部２７から発光する。
【００２６】
以下同様に、各マルチチャンネル再生用スピーカ装置２００ｃ，２００ｄ，２００ｅ，２００ｆはそれぞれその赤外線受光部２６で受光し、受光した赤外線を電気信号に変換して指定されたチャンネルの再生信号をスピーカから再生し、更に前記電気信号を再度赤外線に変換して赤外線発光部２７から発光する。なお、以上の説明では伝送媒体として赤外線を利用したが、他の電磁波を利用することができる。
【００２７】
以上説明したように、スピーカ装置２００ａないし２００ｆを聴取者３０の周囲に配置してマルチチャンネル再生装置１００が発光した赤外線を各スピーカ装置にチェーン状に伝達する構成、あるいは各スピーカ装置はマルチチャンネル再生装置１００が発光した赤外線を直接あるいは他のスピーカ装置の赤外線発光部が発光した赤外線を受光する構成をとることができる。このため、各スピーカ装置の中央の位置等にいる聴取者３０が赤外線を遮断してしまい、スピーカ装置から出力するオーディオ信号が途絶えてしまうことを防止することができる。
【００２８】
【発明の効果】
以上説明したように本発明によれば、マルチチャンネル再生装置が再生したオーディオ信号をマルチチャンネル再生用スピーカ装置に簡易且つ正確に伝送することができるマルチチャンネル再生装置及びマルチチャンネル再生用スピーカ装置を提供することができる。
【図面の簡単な説明】
【図１】本発明の実施形態にかかるマルチチャンネル再生装置及びマルチチャンネル再生用スピーカ装置の詳細を説明する図である。
【図２】マルチチャンネルオーディオ信号の構成を説明する図である。
【図３】マルチチャンネル再生装置及びマルチチャンネル再生用スピーカ装置を説明する図である。
【図４】マルチチャンネル再生装置とマルチチャンネル再生用スピーカ装置間の信号伝達例を説明する図である。
【図５】従来のマルチチャンネル再生装置を説明する図である。
【図６】赤外線を用いた従来のマルチチャンネル再生装置を説明する図である。
【符号の説明】
１　光ディスク
２　光ディスクの駆動装置
３　光ピックアップ
４　光ピックアップの駆動装置
５　信号処理マトリクスアンプ
６　アンプ
７　信号処理部
８　オーディオ信号圧縮回路
９　チャンネル識別子付与回路
１０　赤外線発光回路
１１　マイコン
１２　表示部
１３　操作パネルリモコン回路
１５　赤外線発光部
１６　赤外線受光回路
１７　チャンネル識別子検出回路
１８　データ伸張回路
１９　オーディオ信号処理回路
２０　ＤＡ変換回路
２１　アンプ
２２　スピーカ
２３　マイコン
２４　表示部
２５　識別子設定手段
２６　赤外線受光部
２７　赤外線発光部
【図１】
2004120407.tif 000003
【図２】
2004120407.tif 000004
【図３】
2004120407.tif 000005
【図４】
2004120407.tif 000006
【図５】
2004120407.tif 000007
【図６】
2004120407.tif 000008